(57)【要約】【課題】ユーザが、ＳＤＲコンテンツからＨＤＲコンテンツを簡単に区別できるようにする。【解決手段】波形モニタ２０には、オリジナル画像のある部分の輝度値を求める輝度抽出部がある。比較部４０は、オリジナル画像の上記部分の輝度値をしきい値と比較して、オリジナル画像の第１及び第２分類の部分を生成する。カラー変更部５０は、第２分類に分類されたオリジナル画像の部分のカラー強度を変更する。不透明度変更部６０は、第１分類に分類されたオリジナル画像の部分についてのみ不透明度を変更する。オリジナル画像の変更された部分を用いて変更画像が生成される。【選択図】図１
2019208205.tif 000002
【特許請求の範囲】
【請求項１】
オリジナル画像のある部分の輝度値を求めるよう構成される抽出部と、
上記画像の上記部分の輝度を上記輝度値に基づくと共にしきい値に基づいて分類するよう構成される比較部と、
上記画像の上記部分の分類に基づいて上記画像の上記部分の不透明度を設定するよう構成される画素変更部と、
上記オリジナル画像の変更された部分を用いて、変更画像を生成するよう構成される構築部と
を具える試験測定装置。
【請求項２】
上記画像の上記部分の分類に基づいて、上記オリジナル画像の上記部分のカラー強度を変更するよう構成されるカラー変更部を更に具える請求項１の試験測定装置。
【請求項３】
上記画素変更部が、上記画像の上記部分のコンテンツに基づいて、上記画素の上記部分の不透明度を設定するよう更に構成される請求項１又は２の試験測定装置。
【請求項４】
試験測定装置によって変更画像を生成する方法であって、
オリジナル画像のある部分の輝度値を求める処理と、
上記輝度値を輝度しきい値と比較して、上記オリジナル画像の第１分類の部分と上記オリジナル画像の第２分類の部分とを生成する処理と、
上記オリジナル画像の上記第１分類の上記部分について、上記オリジナル画像の上記部分の不透明度を設定して上記部分を変更する処理と、
上記オリジナル画像の変更された部分を用いて上記変更画像を生成する処理と
を具える変更画像を生成する方法。
【請求項５】
上記オリジナル画像の上記第２分類の上記部分について、上記オリジナル画像の上記部分のカラー強度を変更する処理を更に具える請求項３の試験測定装置によって変更画像を生成する方法。
【請求項６】
試験測定装置の１つ以上のプロセッサで実行されたときに、上記試験測定装置に、
オリジナル画像のある部分の輝度値を求めさせ、
上記輝度値を輝度しきい値と比較して、上記オリジナル画像の第１分類の部分と上記オリジナル画像の第２分類の部分とを生成させ、
上記オリジナル画像の上記第１分類の上記部分について、上記オリジナル画像の上記部分の不透明度を設定して上記部分を変更させ、
上記オリジナル画像の変更された部分を用いて変更画像を生成させる
命令を含むコンピュータ・プログラム。
【請求項７】
上記試験測定装置に、上記オリジナル画像の上記第２分類の上記部分について、上記オリジナル画像の上記部分のカラー強度を変更させるよう構成される命令を更に含む請求項６のコンピュータ・プログラム。
【発明の詳細な説明】
【技術分野】
【０００１】
本発明は、ビデオ試験測定システムに関するシステム及び方法に関し、特に、ビデオ試験測定システムにおける擬似カラー（false color）の特定に関する。
【背景技術】
【０００２】
ある画像のコントラストのレンジ（範囲）は、その画像の明るい領域と暗い領域の間のレンジである。ハイ・ダイナミック・レンジ（High Dynamic Range：HDR）画像のコンテンツは、スタンダード・ダイナミック・レンジ（Standard Dynamic Range：SDR）画像のような標準的なコンテンツよりも大きなコントラスト・レンジを有する。ＨＤＲは、ハイライト領域とローライト領域の両方において、画像の細部を豊かに表現する効果を有する。ＨＤＲコンテンツは、スタンダード・ダイナミック・レンジを夫々有する複数の画像を合成することによって生成されることがある一方で、別の場合には、高解像度カメラによっては、ＨＤＲコンテンツをそれ自身から直接（ネイティブに）生成することもある。
【先行技術文献】
【特許文献】
【０００３】
【特許文献１】特許第４１８１６２５号公報
【発明の概要】
【発明が解決しようとする課題】
【０００４】
いくつかのビデオ制作ワークフローでは、ＨＤＲコンテンツのレンジを決定できることに加えて、ＨＤＲコンテンツをＳＤＲから区別できることが非常に重要である。しかし、全てのワークフローが、ＨＤＲコンテンツを他のコンテンツから区別できるわけではなく、そのコンテンツのレンジを提供できるわけでもない。
【０００５】
本発明の実施形態は、従来技術のこれら及び他の欠点を解決しようとするものである。
【課題を解決するための手段】
【０００６】
本願では、電子的な画像の様々な成分（コンポーネント）を描出するか、さもなければ示して、ユーザが画像表示を構成する上記様々な成分の識別を可能にする試験測定システムが開示される。いくつかの実施形態では、描出された領域は、ハイ・ダイナミック・レンジ（ＨＤＲ）領域を有する領域である。描出表示モードは、例えば、ビデオ波形モニタの新しいモードであっても良い。
【０００７】
こうした描出表示モードは、ＨＤＲビデオ・コンテンツを加工するプロデューサやその他の人が、関心のあるシーンのどの領域にＨＤＲコンテンツがあるかを簡単にわかる必要があるビデオ制作ワークフローの場所では、特に有用なものとなり得る。加えて、ＨＤＲコンテンツの範囲を、これら領域中に提示するという考えも必要かもしれない。
【０００８】
以下では、本願で開示される発明の理解に有益な実施例が提示される。この技術の実施形態は、以下で記述する実施例の１つ以上及び任意の組み合わせを含んでいても良い。
【０００９】
実施例１は、試験測定装置であって、オリジナル画像のある部分の輝度値を求めるよう構成される抽出部と、上記画像の上記部分の輝度を上記輝度値に基づくと共にしきい値に基づいて分類するよう構成される比較部と、上記画像の上記部分の分類に基づいて上記画像の上記部分の不透明度を設定するよう構成される画素変更部と、上記オリジナル画像の変更された部分を用いて、変更画像を生成するよう構成される構築部（assembler：アセンブラ）とを具えている。
【００１０】
実施例２は、実施例１の試験測定装置であって、上記画像の上記部分の分類に基づいて、上記オリジナル画像の上記部分のカラー強度（color intensity）を変更するよう構成されるカラー変更部を更に具えている。
【００１１】
実施例３は、実施例１又は実施例２の試験測定装置であって、上記画素変更部は、上記画像の第１分類に分類された部分についてのみ不透明度を設定し、上記カラー変更部は、上記画像の第２分類に分類された部分についてのみカラー強度を変更する。
【００１２】
実施例４は、実施例１、２又は３の試験測定装置であって、上記しきい値は、輝度しきい値である。
【００１３】
実施例５は、実施例１から４の試験測定装置であって、ビデオ入力信号を受けて、該ビデオ入力信号から上記オリジナル画像を生成するよう構成される画像プロセッサを更に具えている。
【００１４】
実施例６は、実施例５の試験測定装置であって、上記ビデオ入力信号は、カメラからか、蓄積されたファイルからか又はビデオ・ストリーミング信号源から受ける。
【００１５】
実施例７は、先の実施例のいずれかの試験測定装置であって、上記画素変更部は、上記画像の上記部分のコンテンツに基づいて、上記画素の上記部分の不透明度を設定するよう更に構成される。
【００１６】
実施例８は、実施例７の試験測定装置であって、上記画像の上記部分の上記コンテンツとしては、上記画像の上記部分の輝度値がある。
【００１７】
実施例９は、先の実施例のいずれかの試験測定装置であって、上記構築部は、上記画像の全ての部分が同一に初期化されるベース画像を用いて上記変更画像を生成するよう更に構成される。
【００１８】
実施例１０は、試験測定装置によって変更画像を生成する方法であって、オリジナル画像のある部分の輝度値を求める処理と、上記輝度値を輝度しきい値と比較して、上記オリジナル画像の第１分類の部分と上記オリジナル画像の第２分類の部分とを生成する処理と、上記オリジナル画像の上記第１分類の上記部分について、上記オリジナル画像の上記部分の不透明度を設定して上記部分を変更する処理と、上記オリジナル画像の変更された部分を用いて上記変更画像を生成する処理とを具えている。
【００１９】
実施例１１は、実施例１０による方法であって、上記オリジナル画像の上記第２分類の上記部分について、上記オリジナル画像の上記部分のカラー強度を変更する処理を更に具えている。
【００２０】
実施例１２は、実施例１０又は１１による方法であって、上記オリジナル画像の上記部分のカラー強度を変更する処理が、上記カラー強度を低下させる処理を有している。
【００２１】
実施例１３は、先の実施例１０〜１２のいずれかの試験測定装置であって、上記オリジナル画像の上記部分の不透明度を設定して上記部分を変更する処理が、上記オリジナル画像の上記部分の輝度に基づいて、上記オリジナル画像の上記部分の上記不透明度を設定する処理を含んでいる。
【００２２】
実施例１４は、先の実施例１０〜１３のいずれかの試験測定装置であって、ビデオ入力信号から上記オリジナル画像を生成する処理を更に具えている。
【００２３】
実施例１５は、先の実施例１０〜１４のいずれかの試験測定装置であって、上記オリジナル画像の変更された部分を用いて上記変更画像を生成する処理が、画像の全ての部分が同一に初期化されたベース画像を用いて上記変更画像を生成する処理を更に有している。
【００２４】
実施例１６は、試験測定装置の１つ以上のプロセッサで実行されたときに、上記試験測定装置に、オリジナル画像のある部分の輝度値を求めさせ、上記輝度値を輝度しきい値と比較して、上記オリジナル画像の第１分類の部分と上記オリジナル画像の第２分類の部分とを生成させ、上記オリジナル画像の上記第１分類の上記部分について、上記オリジナル画像の上記部分の不透明度を設定して上記部分を変更させ、上記オリジナル画像の変更された部分を用いて変更画像を生成させる命令を含む１つ以上のコンピュータ可読記憶媒体である。
【００２５】
実施例１７は、実施例１６の１つ以上のコンピュータ可読記憶媒体であって、上記試験測定装置に、上記オリジナル画像の上記第２分類の上記部分について、上記オリジナル画像の上記部分のカラー強度を変更させるよう構成される命令を更に含んでいる。
【００２６】
実施例１８は、実施例１６〜１７の１つ以上のコンピュータ可読記憶媒体であって、上記試験測定装置に、ビデオ入力信号から上記オリジナル画像を生成させるよう構成される命令を更に含んでいる。
【００２７】
本発明の実施形態の態様、特徴及び効果は、添付の図面を参照した以下の実施形態の説明から明らかとなろう。
【図面の簡単な説明】
【００２８】
【図１】図１は、本発明の実施形態による擬似カラー描写を含む例示的なビデオ波形モニタのブロック図である。
【図２】図２は、本発明のいくつかの実施形態による例示的な輝度対アルファ変換を示すグラフである。
【図３】図３は、本発明のいくつかの実施形態による例示的な工程を含むフロー図である。
【発明を実施するための形態】
【００２９】
図１は、本発明の実施形態による、ビデオ波形モニタのような例示的な試験装置の構成要素部分のブロック図である。図１に示されるように、波形モニタ２０には、入力プロセッサ３０があり、これは、最初に、ビデオ入力信号を１つ以上の画像へと加工（処理）する。こうしたビデオは、例えば、ＨＤＲカメラ１２からか、蓄積されたビデオ１４からか、又は、イーサネット（登録商標）やその他のデータ転送規格のＯＴＴ（Over The Top：オーバー・ザ・トップ）で配信されるビデオのようなビデオ・ストリーム１６から、もたらされても良い。本発明の実施形態は、どのような形式のビデオ信号源であっても動作可能であり、本願で列挙されるオプションだけに限定されない。
【００３０】
ビデオ・コンテンツとしては、ＨＤＲコンテンツ、即ち、スタンダード（標準）画像コンテンツよりも高いダイナミック・レンジを有するコンテンツがあっても良い。波形モニタ２０がビデオ入力信号を受けた後、入力プロセッサ３０は、このビデオから、１つ以上の画像のデータにする（アセンブルする）。別の実施形態では、ビデオ入力信号を１つ以上の画像に加工するのではなくて、波形モニタ２０が複数の画像を直接受けても良い。
【００３１】
ＨＤＲカメラ１２によって録画されたシーンに応じて、又は、ビデオ・ストレージ１４に蓄積されたか若しくはストリーミング入力１６を通してストリーミングされたビデオ・データがどのように生成されたかに応じて、そのビデオ・コンテンツから生成されたこれら画像に、ＨＤＲコンテンツが含まれることがある。このＨＤＲコンテンツは、これら画像の一部分だけに配置されることがある。言い換えると、ＨＤＲコンテンツは、画像の１つ以上の領域に現れることがあるが、典型的には、画像の全ての領域がＨＤＲコンテンツを含むわけではないであろう。更に、画像によっては、ＨＤＲコンテンツを全く含まないこともあり得る。このＨＤＲコンテンツのない画像は、スタンダード（標準）コンテンツである。
【００３２】
上述のように、波形モニタ２０が受けたビデオ・データは、最初に入力プロセッサ３０で処理されて、既知のやり方で、複数画像のシリーズ（一連の画像）が構築（アセンブル）される。入力プロセッサ３０には、データをこれら画像へと構成する前に、ビデオ信号源から入ってくるデータを蓄積するメモリがあっても良い。更に、もしユーザが追加の処理を希望する場合には、他のデータ又は画像の処理を入力プロセッサ３０で行っても良い。
【００３３】
入力プロセッサ３０で生成、変更されるか、又は入力プロセッサ３０を通過した後、画像の輝度値が輝度（luma）抽出部３２で求められる。実施形態によっては、輝度抽出部３２は、独立したプロセッサで実現されても良いが、典型的には、輝度抽出部３２は、波形モニタ２０内の１つ以上のプログラムされた汎用又は専用プロセッサ上で動作する１機能である。輝度抽出部３２は、個々の画素のような画像の一部分の輝度成分（輝度コンポーネント）を生成する。言い換えると、輝度抽出部３２は、画像の一部分がどのくらい明るいかを示す値を生成する。実施形態によっては、画像内の全ての画素データに関して、輝度値が生成される。別の実施形態では、画像のある領域に関する平均輝度値が生成されても良い。この説明では、簡単のため、画素の観点から輝度の抽出及び数値決定プロセスを記述しているが、当業者であれば、これら技術は、様々な実施形態において、様々な大きさの、複数画素のグループに対して行われても良いことが理解されよう。
【００３４】
画素の輝度値は、生成されると、その画素がＨＤＲコンテンツを含むか否かを判断するために、しきい値比較部４０で調べられても良い。いくつかの実施形態では、ＨＤＲコンテンツは、ある輝度しきい値を超える輝度値を含む画像のコンテンツである。この輝度しきい値は、ＳＤＲコンテンツからＨＤＲコンテンツを区別するレベルに設定されても良い。言い換えると、輝度しきい値より高い輝度値を有する画素は、ＨＤＲコンテンツと考えられる。本発明の実施形態は、ＳＤＲコンテンツからＨＤＲコンテンツを区別し、そして、ＨＤＲであるコンテンツと、非ＨＤＲであるコンテンツ（つまり、ＳＤＲコンテンツ）とをユーザが簡単に識別できる画像を生成する。いくつかの実施形態では、輝度しきい値とちょうど等しい輝度の画素は、ＨＤＲ画素と考えても良いとする一方で、別の実施形態では、こうした画素は、ＳＤＲ画素であると判断されても良い。
【００３５】
いくつかの実施形態では、しきい値比較部４０が、特定の画素の輝度を固定のしきい値と単純に比較し、そして、輝度しきい値以上の輝度値を有する画素は、ＨＤＲコンテンツを含むとみなされる。別の実施形態では、輝度しきい値が、可変であって、ユーザによって制御されても良い。このようにして、ユーザは、ＨＤＲコンテンツとして、どの画素にフラグ（目印）をつけるか制御でき、これによれば、ユーザは、より柔軟に、より多くの制御が行える。
【００３６】
別の実施形態では、しきい値比較部４０は、ＨＤＲ画像がエンコードされた方法に基づいて、いくつかの異なるしきい値を含んでいても良い。ＨＤＲエンコード処理の中でも、エンコード処理方法が異なる場合には、ＨＤＲコンテンツを判断するのに異なる輝度しきい値が与えられても良い。言い換えると、ある方法でエンコードされたＨＤＲ画像には、別の方法でエンコードされたＨＤＲ画像とは異なる輝度しきい値が与えられても良い。
【００３７】
別の実施形態では、輝度しきい値が、画像の全体の平均輝度値に基づいていても良い。例えば、輝度しきい値が、全ての輝度値の上位２０％の輝度値を有する画素がＨＤＲコンテンツであるとみなされるように設定されても良い。更に別の実施形態では、輝度しきい値が、そのフレーム又はそのフレームのある領域で求めた複数の画素値の標準偏差に基づいていても良い。当然のことながら、先に列挙したしきい値の例は、説明の都合によるものに過ぎず、輝度しきい値の算出処理や、輝度しきい値に対して画素輝度値を比較する処理は、別の方法が可能である。
【００３８】
画像中の画素又は複数画素のグループの輝度値が、ＨＤＲコンテンツ又はＳＤＲコンテンツを含むと識別されたら、その画素は、変更されて変更画像へと組み立てられ（アセンブルされ）、表示部８０（図１）上でユーザに示されるか又は別のやり方でユーザに提示されても良い。実施形態によっては、これら変更画像は、後でアクセスするように、蓄積されても良い。
【００３９】
いくつかの実施形態では、輝度しきい値より低い値を有する画素、つまり、ＳＤＲ画素と識別された画素は、その画素のカラー量を減らすように変更される。一般的な画像保存フォーマットでは、画素のカラー情報を、赤、緑及び青（ＲＧＢ）の夫々に関して、０と２５５の間の数字で記述している。このため、ある特定の画素のＲＧＢ値が、夫々１１２、２０４及び１１６を有するということもあり得る。図１を再度参照すると、本発明のいくつかの実施形態では、カラー変更部５０を利用して、ＳＤＲ画素に関するカラーを変更する。これは、その強度（intensity：明度と彩度）を低下させる、つまり、これら画素を目立たなくする効果がある。いくつかの実施形態では、ＳＤＲ画素は、それらのカラー量が、それらのオリジナルのカラーの２５％に低減される。こうした実施形態では、１１２、２０４及び１１６のＲＧＢを有する画素は、ＲＧＢが２８、５１及び２９に変更され、オリジナル画像と同じ位置で、変更画像中に保存される。カラー変更部５０で処理された後、画像内の全てのＳＤＲ画素は、それらのオリジナルのカラー値の２５％に低減され、これは、変更画像中のＳＤＲ画素を目立たなくする、つまり、ＳＤＲ画素のカラー強度（color intensity）を低減する効果がある。カラー変更部５０は、このカラー変換を実行するのに、各カラーを独立して計算しても良いし、又は、ルックアップテーブル（Look-Up-Table：ＬＵＴ）のような手法など、他の手法を用いても良い。
【００４０】
もちろん、本発明の実施形態によっては、ＳＤＲ画素のカラー量をどの程度低減するかの選択や、全てのカラーを同じパーセントで低減するかどうかさえも、コントロール（管理、制御）して良い。例えば、波形モニタ２０にユーザ・インタフェース９０を設けて、これにユーザ・インタラクティブなメニューを設けるか又は操作装置を設けて、ユーザが、こうした変更を行えるようにしても良い。別の実施形態では、オリジナル画像のＳＤＲ画素は、全てのカラーが消去されて、変更画像中でグレースケールに変換されるようにしても良い。更に別の実施形態では、ＳＤＲ画素が、ある特定の固定（static：変化のない）カラーに設定されても良い。更に別の実施形態では、後述のように、変更画像を生成するときに、ＳＤＲ画素は、全く変更されず、代わりに、ＨＤＲ画素だけが変更される。上述の例では、ＲＧＢ値０〜２５５を利用しているが、当業者であれば、上述のカラー強度又はカラー変更の手法を、別の画像定義プロトコルを使用する画像に対して応用できよう。
【００４１】
画像内の画素がどのようにＳＤＲとして識別されるを説明した先の記述は、部分的に変更しても良い。加えて、本発明の実施形態には、ＨＤＲコンテンツを含むと識別された画像内の画素を変更する手法もある。
【００４２】
いくつかの実施形態では、ＨＤＲコンテンツを含む画素は、これら画素を所定カラー（set color）に設定し、これら画素の不透明度を調整することによって、変更される。いくつかの実施形態では、不透明度は、輝度値と共に変動する。ＨＤＲ画素の不透明度は、図１の波形モニタ２０内の不透明度変更部６０で変更されても良い。不透明度変更部は、図１では、機能ブロックとして示されているが、プロセッサ上で動作するプログラムとして実現されても良いし、ＦＰＧＡで実現されても良いし、後述のような別の方法を用いて実現されても良い。
【００４３】
この説明では、不透明度は、アルファと呼ぶ変数で記述される。アルファ値の１は、不透明である一方、アルファ値の０は、予め設定された背景に対して完全に透明であり、この背景は、様々な実施形態において、全て黒、全て白、又は、これらの中間の何かに予め設定されても良い。出力画像又は出力フレームが、初期設定で、全て黒に設定される実施形態では、完全に不透明であるアルファ値に設定される画素は、黒の背景と混合（ミックス）されることはない。逆に、アルファ値が完全に透明である場合には、最終画像において、黒の背景だけで、こうした画素を示すことになろう。
【００４４】
アルファの設定は、関数によって制御されても良く、この関数は、輝度（luminance）の関数であっても良い。輝度対アルファの例示的な関数が、図２に示されている。この図では、輝度値が、０.０から１.０までのレンジに正規化されている。図２のｘ軸は、選択されたしきい値である０.６１５から、１.０までの正規化輝度値を記述している。図２のｙ軸は、これら画素に適用されるアルファ（不透明度）係数を記述している。図２は、例示的な輝度しきい値である０.６１５を用いて得られている。このしきい値よりも上の輝度を有する画素について、これら画素の不透明度値は、図２で定義されている通りである。例えば、０.８の正規化輝度値を有する画素は、約０.７４のアルファ値になるであろう。別の正規化輝度値では、別のアルファ・レベルを生じることとなり、輝度値が高いほど、アルファ値が高くなる。
【００４５】
図２に示される輝度／アルファ関数は、数式１で記述される。
【００４６】
数式１：アルファ＝（０.５＊（輝度−しきい値）／（１.０−しきい値））＋０.５
【００４７】
上述の例では、ＨＤＲ画素は、所定カラー値に設定されても良いことを思い出そう。よって、上述のアルファ関数を用いると、ＨＤＲ画素の透明度は、その輝度値に従って設定されても良い。これは、オリジナル画像中の輝度値の高い画素ほど、出力画像中において、より不透明に見えるであろうし、一方で、輝度値の低い画素ほど、より透明で、初期背景カラーが通過して見えるであろうという効果がある。いくつかの実施形態では、輝度しきい値より高い初期輝度値を持っていた画素にのみアルファ値が割り当てられることを思い出そう。輝度しきい値より低い初期輝度値を有する画素は、ＳＤＲ画素に分類され、そして、それらのカラー値を低下させて目立たなくするような、異なった処理が行われる。
【００４８】
図２に、１例の輝度対アルファ関数が記載されているが、別の関数を適用しても良く、それら関数は、真っ直ぐな線を有している必要はない。こうした全ての関数は、本発明の実施形態に該当する。いくつかの実施形態では、ユーザは、波形モニタ２０のユーザ・インタフェース９０（図１）を通した１つ以上のメニュー又は操作装置を用いて、輝度対アルファ関数を選択するか、デザインさえしても良い。
【００４９】
以下の擬似コード（pseudo code）は、対象フレームの各画素に適用でき、例示的な実現形態を示している：
If (luma > threshold)
{
Color.a = (0.5 * (luma - threshold)/(1.0 - threshold)) + 0.5;
Color.r = 0;
Color.g = 1.0;
Color.b = 1.0;
}
Else
{
Color.r = Color.r/4;
Color.g = Color.g/4;
Color.b = Color.b/4;
Color.a = 1.0;
}
【００５０】
上記擬似コードでは、luma（輝度）は、選択された画素に関する輝度値を表し、threshold（しきい値）は、上述のＨＤＲ輝度しきい値であり、color.rは選択画素に関する赤の値に言及し、color.gは選択画素に関する緑の値に言及し、color.bは選択画素に関する青の値に言及し、color.aは選択画素に関するアルファ値（つまり、不透明度）に言及している。
【００５１】
図３は、上述のような、対象画像から変更画像を生成する例示的な動作を示すフローチャートである。フロー３００は、対象画像中の複数の画素に関する輝度値を分析して求める工程３０２及び３０４で始まる。対象画像は、上述のように、画像プロセッサ３０（図１）によって生成されるものであっても良い。
【００５２】
画素の輝度値は、工程３０６で、ＨＤＲ輝度しきい値と比較される。上述のように、しきい値は、ユーザが制御しても良く、対象画像を生成するのに利用される形式や符号化処理（coding）手法に応じて、１つ以上のしきい値があっても良い。この目標値より低い輝度値を有する画素は、ＳＤＲ画素として分類され、そのようものとして、これら画素を識別するように変更されても良い。上述のように、いくつかの実施形態では、工程３０８において、そのカラー値を低下させて、その画素カラーの強度（intensity：明度と彩度）を低下させるようにしても良い。
【００５３】
輝度しきい値より上の輝度値を有する画素は、ＨＤＲ画素として分類される。工程３０８では、ＨＤＲに分類された画素が、上述のように、その輝度値に従って画素の不透明度を変更することによる変更画像中に描写されて、ユーザに示されるようにしても良い。１つの輝度対アルファ関数が図２に示されているが、他の関数も可能である。
【００５４】
ＳＤＲ及びＨＤＲ画素が分類されて変更されたら、新しい画像が構築される。工程３１２では、変更画像のための出力フレームが初期化される。いくつかの実施形態では、出力フレームが全部黒に初期化されるが、別の実施形態では、出力フレームが全部白に初期化されても良い。次いで、工程３１４では、ＳＤＲ変更画素とＨＤＲ変更画素を、それらが最初の対象画像中にあったのと同じ位置に挿入することによって変更画像を構築（アセンブル）する。最終的な変更画像は、表示部８０（図１）に出力されても良いし、後で見るために蓄積されても良い。
【００５５】
先に、いくつかの実施形態を説明したが、依然として本発明の範囲内において行える他の変形もある。例えば、上記動作では、輝度しきい値より低い輝度値を有するものをＳＤＲ画素と分類し、輝度しきい値より高い輝度値を有するものをＨＤＲ画素と分類していたが、ＳＤＲ及びＨＤＲ分類の間の第３の分類を有することも可能である。こうした実施形態では、第３分類の画素は、オリジナルの対象画像から出力画像へと変更なしに通過しても良い。図１には、オプションの画像合成部（画像ミキサ）７０があり、これは、こうした通過（pass-through：パス・スルー）機能を提供する。また、上述の実施形態は、ＳＤＲ及びＨＤＲに分類された画素の両方を変更すると説明したが、実施形態によっては、どちらか一方だけ変更することも可能である。これらモードの選択は、ユーザ・インタフェース９０を通して行われても良い。最後に、上述した発明の態様の夫々は、独立して動作しても良いし、他の独立の態様と併用して動作しても良い。
【００５６】
本発明の態様は、特別に作成されたハードウェア、ファームウェア、デジタル・シグナル・プロセッサ又はプログラムされた命令に従って動作するプロセッサを含む特別にプログラムされた汎用コンピュータ上で動作できる。本願における「コントローラ」又は「プロセッサ」という用語は、マイクロプロセッサ、マイクロコンピュータ、ＡＳＩＣ及び専用ハードウェア・コントローラ等を意図する。本発明の態様は、１つ又は複数のコンピュータ（モニタリング・モジュールを含む）その他のデバイスによって実行される、１つ又は複数のプログラム・モジュールなどのコンピュータ利用可能なデータ及びコンピュータ実行可能な命令で実現できる。概して、プログラム・モジュールとしては、ルーチン、プログラム、オブジェクト、コンポーネント、データ構造などを含み、これらは、コンピュータその他のデバイス内のプロセッサによって実行されると、特定のタスクを実行するか、又は、特定の抽象データ形式を実現する。コンピュータ実行可能命令は、ハードディスク、光ディスク、リムーバブル記憶媒体、ソリッド・ステート・メモリ、ＲＡＭなどのコンピュータ可読記憶媒体に記憶しても良い。当業者には理解されるように、プログラム・モジュールの機能は、様々な実施例において必要に応じて組み合わせられるか又は分散されても良い。更に、こうした機能は、集積回路、フィールド・プログラマブル・ゲート・アレイ（ＦＰＧＡ）などのようなファームウェア又はハードウェア同等物において全体又は一部を具体化できる。特定のデータ構造を使用して、本発明の１つ以上の態様をより効果的に実施することができ、そのようなデータ構造は、本願に記載されたコンピュータ実行可能命令及びコンピュータ使用可能データの範囲内と考えられる。
【００５７】
開示された態様は、場合によっては、ハードウェア、ファームウェア、ソフトウェア又はそれらの任意の組み合わせで実現されても良い。開示された態様は、１つ以上のプロセッサによって読み取られ、実行され得る１つ又は複数のコンピュータ可読媒体によって運搬されるか又は記憶される命令として実現されても良い。そのような命令は、コンピュータ・プログラム・プロダクトと呼ぶことができる。本願で説明するコンピュータ可読媒体は、コンピューティング装置によってアクセス可能な任意の媒体を意味する。限定するものではないが、一例としては、コンピュータ可読媒体は、コンピュータ記憶媒体及び通信媒体を含むことができる。
【００５８】
コンピュータ記憶媒体は、コンピュータ読み取り可能な情報を記憶するために使用することができる任意の媒体を意味する。限定するものではないが、例としては、コンピュータ記憶媒体としては、ランダム・アクセス・メモリ（ＲＡＭ）、読み出し専用メモリ（ＲＯＭ）、電気消去可能プログラマブル読み出し専用メモリ（ＥＥＰＲＯＭ）、フラッシュメモリやその他のメモリ技術、コンパクト・ディスク読み出し専用メモリ（ＣＤ-ＲＯＭ）、ＤＶＤ（Digital Video Disc）やその他の光ディスク記憶装置、磁気カセット、磁気テープ、磁気ディスク記憶装置やその他の磁気記憶装置、及び任意の技術で実装された任意の他の揮発性又は不揮発性の取り外し可能又は取り外し不能の媒体を含んでいても良い。コンピュータ記憶媒体としては、信号そのもの及び信号伝送の一時的な形態は排除される。
【００５９】
通信媒体とは、コンピュータ可読情報の通信に利用できる任意の媒体を意味する。限定するものではないが、例としては、通信媒体には、電気、光、無線周波数（ＲＦ）、赤外線、音又はその他の形式の信号の通信に適した同軸ケーブル、光ファイバ・ケーブル、空気又は任意の他の媒体を含むことができる。
【００６０】
開示された主題の上述のバージョンは、記述したか又は当業者には明らかであろう多くの効果を有する。それでも、開示された装置、システム又は方法のすべてのバージョンにおいて、これらの効果又は特徴のすべてが要求されるわけではない。
【００６１】
加えて、本願の記述は、特定の特徴に言及している。本明細書における開示には、これらの特定の特徴の全ての可能な組み合わせが含まれると理解すべきである。ある特定の特徴が特定の態様又は実施例の状況において開示される場合、その特徴は、可能である限り、他の態様及び実施例の状況においても利用できる。
【００６２】
また、本願において、２つ以上の定義されたステップ又は工程を有する方法に言及する場合、これら定義されたステップ又は工程は、状況的にそれらの可能性を排除しない限り、任意の順序で又は同時に実行しても良い。
【００６３】
説明の都合上、本発明の具体的な実施例を図示し、説明してきたが、本発明の要旨と範囲から離れることなく、種々の変更が可能なことが理解できよう。従って、本発明は、添付の特許請求の範囲を除いて限定されるべきではない。
【符号の説明】
【００６４】
１２  ＨＤＲカメラ
１４  蓄積されたビデオ
１６  ビデオ・ストリーム
２０  波形モニタ
３０  入力プロセッサ
３２  輝度抽出部
４０  しきい値比較部
５０  カラー変更部
６０  不透明度変更部
７０  画像合成部
８０  表示部
９０  ユーザ・インタフェース
【図１】
2019208205.tif 000003
【図２】
2019208205.tif 000004
【図３】
2019208205.tif 000005
【外国語明細書】
2019208205000001.pdf